(57)【要約】【課題】小児が製品を誤飲することを防止する機能を持つヒンジ式容器を実用的な態様で実現する。【解決手段】ヒンジ式容器１は、開口１０ａを取り囲むフランジ部１３をもつ容器本体２と、開口１０ａを開閉する旋回カバー３０を有し容器本体２に取り付けられた蓋体３と、を備える。旋回カバー３０は、開口１０ａを覆うための天壁３１と、天壁３１の周縁から垂下した周壁３２と、を有する。周壁３２は、天壁３１から垂下した周壁本体部３３と、周壁本体部３３に対してロック位置Ｐ１と解除位置Ｐ２との間を移動可能な押込部３４と、を有している。押込部３４は、ロック位置Ｐ１において、周壁本体部３３によって囲まれ且つ天壁３１に対面する空間Ｓ２内に位置して、旋回カバー３０を容器本体２に係止する。【選択図】図１
2016141458.tif 000002
【特許請求の範囲】
【請求項１】
開口を取り囲むフランジ部をもつ容器本体と、
前記開口を開閉する旋回カバーを有し前記容器本体に取り付けられた蓋体と、
を備え、
前記旋回カバーは、前記開口を覆うための天壁と、天壁の周縁から垂下した周壁と、を有し、
前記周壁は、前記天壁から垂下した周壁本体部と、前記周壁本体部に対してロック位置と解除位置との間を移動可能な押込部と、を有し、
前記押込部は、前記ロック位置において、前記周壁本体部によって囲まれ且つ天壁に対面する内空間内に位置する、ヒンジ式容器。
【請求項２】
前記押込部は、前記解除位置において前記内空間外に位置する、請求項１に記載のヒンジ式容器。
【請求項３】
前記蓋体は、前記容器本体の前記フランジ部に取り付けられ、前記旋回カバーを枢動可能に支持する取付ベースを有し、
前記旋回カバーの前記周壁本体部は、前記取付ベースに枢動可能に接続された前記旋回カバーの基端部と対向する先端部側に位置する前壁部を有し、
前記押込部は、前記前壁部に接続されている、請求項１または２に記載のヒンジ式容器。
【請求項４】
前記容器本体は、前記旋回カバーの前記前壁部に、自身の一部が対向して位置する前胴壁を有し、
前記前胴壁のうちの前記押込部と対面する位置を含む領域に、他の部分よりも凹んだ凹部が形成されている、請求項３に記載のヒンジ式容器。
【請求項５】
前記押込部は、前記周壁本体部と一体に成形されていて、当該押込部の少なくとも一部が、前記周壁本体部よりも厚みが薄くなっている、請求項１乃至４のいずれか一項に記載のヒンジ式容器。
【請求項６】
前記押込部は、前記開口の正面方向となる上下方向に沿って延びる厚肉部分及び薄肉部分を含む、請求項１乃至５のいずれか一項に記載のヒンジ式容器。
【請求項７】
複数の厚肉部分と複数の薄肉部分とが、前記旋回カバーの基端部と先端部とを結ぶ前後方向及び前記上下方向の両方に直交する横方向に交互に並んでいる、請求項６に記載のヒンジ式容器。
【請求項８】
前記押込部から摘まみ片が延び出している、請求項１乃至７のいずれか一項に記載のヒンジ式容器。
【発明の詳細な説明】
【技術分野】
【０００１】
本発明は、小児が製品を誤飲することを防止する機能を持つヒンジ式容器に関する。
【背景技術】
【０００２】
例えば、特許文献１乃至３に記載されているように、内容物を収容するための容器として、ヒンジ式容器が利用に供されている。典型的なヒンジ式容器は、内容物を収容する容器本体の開口を、ヒンジ式の蓋で開閉する構造をもつ。このようなヒンジ式容器は、開閉が容易で利便性に優れるため種々の商品を収容する用途に利用されている。ヒンジ式容器に収容される内容物の一例として、食品用の固形物、薬剤あるいは非食用のゲル状投与物が挙げられる。
【先行技術文献】
【特許文献】
【０００３】
【特許文献１】特開２０１２−５１６８１９号公報
【特許文献２】特開２０１３−１１２３６９号公報
【特許文献３】特許第５０８７３５７号
【発明の概要】
【発明が解決しようとする課題】
【０００４】
ヒンジ式容器に収容される内容物によっては、色や匂いによって小児が惹き付けられ商品を誤って口にしてしまうおそれが高い。この点、特許文献１乃至３に記載のヒンジ式容器では、小児の誤飲を防止するための工夫がなされている。しかしながら、特許文献１乃至３に記載のヒンジ式容器では、ヒンジによる開閉の容易さから得られる実用性を維持した上で誤飲防止機能を十分に確保しているとは未だいえない。
【０００５】
本発明は、このような点を鑑みてなされたものであって、小児が製品を誤飲することを防止する機能を持つヒンジ式容器を実用的な態様で実現することを目的とする。
【課題を解決するための手段】
【０００６】
本発明によるヒンジ式容器は、開口を取り囲むフランジ部をもつ容器本体と、前記開口を開閉する旋回カバーを有し前記容器本体に取り付けられた蓋体と、を備え、
前記旋回カバーは、前記開口を覆うための天壁と、天壁の周縁から垂下した周壁と、を有し、
前記周壁は、前記天壁から垂下した周壁本体部と、前記周壁本体部に対してロック位置と解除位置との間を移動可能な押込部と、を有し、
前記押込部は、前記ロック位置において、前記周壁本体部によって囲まれ且つ天壁に対面する内空間内に位置する。
【０００７】
本発明によるヒンジ式容器において、前記押込部は、前記解除位置において、前記内空間外に位置していてもよい。
【０００８】
本発明によるヒンジ式容器において、前記蓋体は、前記容器本体の前記フランジ部に取り付けられ、前記旋回カバーを枢動可能に支持する取付ベースを有し、前記旋回カバーの前記周壁本体部は、前記取付ベースに枢動可能に接続された前記旋回カバーの基端部と対向する先端部側に位置する前壁部を有し、前記押込部は、前記前壁部に接続されていてもよい。
【０００９】
本発明によるヒンジ式容器において、前記容器本体は、前記旋回カバーの前記前壁部に、自身の一部が対向して位置する前胴壁を有し、前記前胴壁のうちの前記押込部と対面する位置を含む領域に、他の部分よりも凹んだ凹部が形成されていてもよい。
【００１０】
本発明によるヒンジ式容器において、前記押込部は、前記周壁本体部と一体に成形されていて、当該押込部の少なくとも一部が、前記周壁本体部よりも厚みが薄くなっていてもよい。
【００１１】
本発明によるヒンジ式容器において、前記押込部は、前記開口の正面方向となる上下方向に沿って延びる厚肉部分及び薄肉部分を含んでもよい。
【００１２】
本発明によるヒンジ式容器において、複数の厚肉部分と複数の薄肉部分とが、前記旋回カバーの基端部と先端部とを結ぶ前後方向及び前記上下方向の両方に直交する横方向に交互に並んでいてもよい。
【００１３】
本発明によるヒンジ式容器において、前記押込部から摘まみ片が延び出していてもよい。
【発明の効果】
【００１４】
本発明によれば、ロック位置に配置された押込部を、内空間から引き出して解除位置に移動させることで、旋回カバーの容器本体に対する係止を解除することができる。押込部を引き出す操作は、小児にとって容易に気付くことではない。このため、小児にとっては、旋回カバーを開けて内容物を取り出すことを容易に行うことができない。その一方で、押込部を引き出す操作は、成人にとっては容易に想到することが可能である。このため、成人にとっては、旋回カバーを開けて内容物を容易に取り出すことができる。以上のことから、本発明によれば、小児が製品を誤飲することを防止するヒンジ式容器を実用的な態様で提供することが可能となる。
【図面の簡単な説明】
【００１５】
【図１】実施の形態によるヒンジ式容器を示す斜視図。
【図２】図１に示すヒンジ式容器において、旋回カバーを開けた状態を示す斜視図。
【図３】図２に示す線III−IIIに沿ったヒンジ式容器の断面を示す断面図。
【図４】図１に示すヒンジ式容器において、押込部をロック位置に配置した状態を模式的に示す断面図。
【図５】図１に示すヒンジ式容器において、押込部を解除位置に配置した状態を模式的に示す断面図。
【図６】図３に示す押込部の一変形例を示す断面図。
【図７】図３に示す押込部の別の変形例を示す断面図。
【図８】図３に示す押込部のさらに別の変形例を示す断面図。
【図９】図３に示す押込部に摘まみ片が接続された例を示す断面図。
【発明を実施するための形態】
【００１６】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
図１乃至図９は、本発明による一実施の形態及びその変形例を説明するための図である。このうち図１及び図２は、ヒンジ式容器１を開閉した状態でそれぞれ示す斜視図である。
【００１８】
図１及び図２に示すヒンジ式容器１は、内容物５を収容する容器本体２と、容器本体２に取り付けられたヒンジ式の蓋体３と、を有する。図１及び図２に示すヒンジ式容器１は、開閉が容易で利便性に優れ、種々の商品を収容することが意図されている。ヒンジ式容器に収容される内容物５の一例として、食品用の固形物、薬剤あるいは非食用のゲル状投与物等が挙げられる。
【００１９】
図１及び図２に示すように、容器本体２は、底部１１と、底部１１に接続された胴部１２と、を有している。底部１１は、ヒンジ式容器１を載置面に置いたときにヒンジ式容器１の載置面に接触する部分を構成する。胴部１２は、底部１１の周縁に接続され底部１１の上方を環状に取り囲んでいる。底部１１と胴部１２とによって規定される空間内に、内容物５を収容する収容空間Ｓ１が規定されている。
【００２０】
とりわけ、図１及び図２に示す容器本体２は、図中の前後方向ｄ１に対向する前胴壁１２ａ及び背胴壁１２ｂと、前後方向ｄ１に直交する横方向ｄ２に対向する一対の側胴壁１２ｃ、１２ｄと、を含んでいる。各側胴壁１２ｃ、１２ｄは、前胴壁１２ａ及び背胴壁１２ｂの対応する端部の間を延びている。
【００２１】
胴部１２の底部１１と接続された端部とは反対側となる端部に、胴部１２から張り出したフランジ部１３が接続されている。フランジ部１３は、蓋体３が取り付けられる部分である。また、フランジ部１３は、後述するようにして蓋体３と協働し、旋回カバー３０を容器本体２に係止するために利用される。本実施の形態において、フランジ部１３は環状に形成され、当該フランジ部１３に囲まれる領域内に開口１０ａが規定されている。開口１０ａを介して容器本体２内の収容空間Ｓ１から内容物５が出し入れされるようになっている。
【００２２】
本実施の形態のフランジ部１３は、胴部１２から張り出したフランジ面１３ａと、フランジ面１３ａの張り出した先端部から折り曲げられた折返面１３ｂと、を含んでいる。図２に示す例では、フランジ面１３ａは、開口１０ａの正面方向となる上下方向ｄ３を向き、折返面１３ｂは、フランジ面１３ａから上下方向ｄ３における下方に延び出している。
【００２３】
なお、開口１０ａの正面方向とは、開口１０ａを全体的且つ大局的に見た場合において、当該開口１０ａの平面方向と一致する面への法線方向を指す。本実施の形態において、開口１０ａの正面方向は、図１及び図２中の紙面の上下方向に一致する。
【００２４】
次に、容器本体２に取り付けられる蓋体３について説明する。図１に示すように、蓋体３は、容器本体２のフランジ部１３に取り付けられた取付ベース２０と、取付ベース２０に枢動可能に接続され、容器本体２の開口１０ａを開閉する旋回カバー３０と、を有している。
【００２５】
なお、本明細書において、旋回カバー３０のうち、取付ベース２０に枢動可能に接続された端部を基端部３０ｂと呼び、基端部３０ｂに対向する端部つまり基端部３０ｂとは反対となる端部を先端部３０ａと呼ぶ。さらに、旋回カバー３０の基端部３０ｂと先端部３０ａとを結ぶ方向を前後方向ｄ１とし、基端部３０ｂ側を後方と呼び、先端部３０ａ側を前方と呼ぶ。
【００２６】
取付ベース２０は、蓋体３のうちの容器本体２に取り付けられる部分である。図１に示すように、取付ベース２０は、前後方向ｄ１における後方の位置で開口１０ａの一部を覆うようにしてフランジ部１３に取り付けられている。図１に示す取付ベース２０は、開口１０ａの一部を覆うベース天壁２１と、ベース天壁２１の周縁から延び出したベース周壁２２と、を有している。
【００２７】
ベース周壁２２は、フランジ部１３に係合して当該フランジ部１３に取り付けられる。ベース周壁２２がフランジ部１３に取り付けられる態様は特に限定されない。例えば、ベース周壁２２がフランジ部１３の折返面１３ｂに嵌合してもよいし、あるいは、ベース周壁２２が、当該ベース周壁２２の輪郭に沿って間隔を空けて配置された複数の取付爪（不図示）を有し、この取付爪が、容器本体２のフランジ部１３の裏側に回り込んで引っかけられてもよい。
【００２８】
ベース天壁２１の前方部分には、旋回カバー３０が枢動可能に接続されている。旋回カバー３０がベース天壁２１に枢動可能に接続される態様も特に限定されない。例えば、旋回カバー３０が、薄肉化された複数のヒンジ片（不図示）を介してベース天壁２１に接続されていてもよい。薄肉化されたヒンジ片が旋回カバー３０とベース天壁２１との間で変形することにより、旋回カバー３０が取付ベース２０に対して枢動（旋回、揺動）することが可能となっている。
【００２９】
旋回カバー３０は、容器本体２の開口１０ａを開閉し、内容物の出し入れを可能にする。図１に示す旋回カバー３０は、開口１０ａを覆うための天壁３１と、天壁３１の周縁から延び出した周壁３２と、を有している。
【００３０】
本実施の形態における天壁３１は、矩形の輪郭をもつ板状の部分である。なお、ここでいう「矩形」には、角が尖った長方形だけでなく、角が丸みを帯びた概ね長方形形状の形状も含まれる。旋回カバー３０が開口１０ａを閉じた状態において、天壁３１は、開口１０ａのうちの、ベース天壁２１が覆う領域以外の領域を覆う。すなわち、旋回カバー３０が開口１０ａを閉じた状態において、天壁３１とベース天壁２１とによって、開口１０ａの全域が覆われるようになっている。
【００３１】
図１に示す例では、天壁３１の後方部分が取付ベース２０に枢動可能に接続されている。すなわち、天壁３１の後端が上述の旋回カバー３０の基端部３０ｂを規定している。
【００３２】
一方、周壁３２は、天壁３１から垂下した周壁本体部３３と、周壁本体部３３に対して移動可能な押込部３４と、を有している。押込部３４は、フランジ部１３と協働して、旋回カバー３０を容器本体２に係止するためのものであり、後に詳述する。
【００３３】
図２に示すように、周壁本体部３３は、天壁３１から容器本体２側に向かって延び出し、環状に形成されている。環状の周壁本体部３３によって囲まれ且つ天壁３１に対面する空間に、内空間Ｓ２が規定されている。旋回カバー３０で開口１０ａを閉じると、周壁本体部３３が容器本体２のフランジ部１３の周りを取り囲み、内空間Ｓ２が容器本体２内の収容空間Ｓ１と一体になって繋がるようになっている。
【００３４】
図２に示すように、周壁本体部３３は、前後方向ｄ１における前方に位置する前壁３３ａと、横方向ｄ２に対向する一対の側壁３３ｃ、３３ｄと、を含んでいる。前壁３３ａは、一対の側壁３３ｃ、３３ｄの前方側に位置する端部の間を延びている。図１に示すように、旋回カバー３０で開口１０ａを閉じた状態において、旋回カバー３０の前壁３３ａは胴部１２の前胴壁１２ａに対向し、旋回カバー３０の側壁３３ｃ、３３ｄは対応する胴部１２の側胴壁１２ｃ、１２ｄに対向する。
【００３５】
さて、このようなヒンジ式容器１は、開閉の容易さから実用性に優れる一方で、小児が内容物を容易に取り出して誤って口にしてしまうおそれを内在する。そこで、本実施の形態によるヒンジ式容器１では、小児の誤飲を防止するべく、旋回カバー３０を容器本体２にロックするための押込部３４が周壁本体部３３に接続されている。
【００３６】
押込部３４は、フランジ部１３と協働して、旋回カバー３０を容器本体２に係止するためのものである。本実施の形態の押込部３４は、周壁本体部３３の前壁３３ａに接続され、その少なくとも一部が、周壁本体部３３の前壁３３ａよりも薄肉になっている。これにより、押込部３４は、周壁本体部３３の前壁３３ａよりも変形し易くなる。押込部３４を周壁本体部３３に対して押し込みまたは引き出すことでロック位置Ｐ１（図１参照）と解除位置Ｐ２（図２参照）とに切り替えられるようになっている。
【００３７】
本実施の形態において、押込部３４は、湾曲可能な板状材として構成され、横方向ｄ２における両端で、周壁本体部３３に接続されている。図３に、押込部３４の断面を示す。図３から理解されるように、押込部３４の長手方向に沿った長さＬ１は、周壁本体部３３の押込部３４との接続箇所間の直線距離Ｄ１よりも長い。このため、横方向ｄ２における両端で周壁本体部３３に接続された押込部３４は、前後方向ｄ１に膨らんだ状態で、周壁本体部３３に保持されるようになる。本実施の形態において、押込部３４が前方に最も膨らんだ位置が図２及び図３に示すロック位置Ｐ１に一致し、押込部３４が後方に最も膨らんだ位置が図１に示すロック位置Ｐ２に一致する。
【００３８】
具体的な構成として、押込部３４は、図３に示すように、横方向ｄ２における端部に位置し前壁３３ａに接続された一対の接続領域３４ａと、一対の接続領域３４ａの間に掛け渡された本体領域３４ｂと、を含んでいる。
【００３９】
各接続領域３４ａは、薄板状に成形され、本体領域３４ｂよりも肉厚が薄くなっている。ゆえに、一対の接続領域３４ａの間で、本体領域３４ｂが柔軟に支持されている。一対の接続領域３４ａが本体領域３４ｂを柔軟に支持することで、本体領域３４ｂを容易に動かすことが可能となる。
【００４０】
一方、本体領域３４ｂは、図３に示すように、複数の厚肉部分３４ｃと、厚肉部分３４ｃよりも厚みの薄い複数の薄肉部分３４ｄとを含んでいる。本体領域３４ｂが厚肉部分３４ｃと薄肉部分３４ｄとを含むことにより、押込部３４の剛性すなわち押込部３４の変形し易さを容易に調整することが可能となる。
【００４１】
各厚肉部分３４ｃ及び各薄肉部分３４ｄは、上下方向ｄ３に沿って直線状に延びている。そして、複数の厚肉部分３４ｃと複数の薄肉部分３４ｄとは、横方向ｄ２に交互に並べられている。とりわけ、厚肉部分３４ｃは、横方向ｄ２に隣り合う薄肉部分３４ｄの間から前後方向ｄ１における前方に突出し、薄肉部分３４ｄは、横方向ｄ２に隣り合う２つの厚肉部分３４ｃの間に掛け渡され、当該２つの厚肉部分３４ｃを連結している。
【００４２】
本実施の形態において、厚肉部分３４ｃの最大厚みｔ１は、前壁３３ａの最大厚みｔ３と同程度になっている。その一方で、薄肉部分３４ｄの最大厚みｔ２は、厚肉部分３４ｃの最大厚みｔ１、並びに、前壁３３ａの最大厚みｔ３よりも薄くなっている。ただし、薄肉部分３４ｄの最大厚みｔ２は、接続領域３４ａの最大厚みｔ４よりは厚い。
【００４３】
とりわけ、図３に示す断面において薄肉部分３４ｄは、円弧に沿った板状の形状をもち、厚肉部分３４ｃは、円弧に沿った板状の形状と、概ね台形状の形状と、を繋げてなる形状をもつ。
【００４４】
このような押込部３４が設けられた旋回カバー３０は、種々の態様で成形することが可能である。一例として、旋回カバー３０を押込部３４を含めてインジェクション成形によって一体に成形してもよい。上述のように、押込部３４は、上下方向ｄ３に沿って延びる厚肉部分３４ｃ及び薄肉部分３４ｄを含んでいる。この場合、旋回カバー３０成形用の型に樹脂材料を流し込んで硬化させた後、型を上下方向ｄ３に抜き出すことができる点で利点をもつ。なお、本実施の形態において、旋回カバー３０は、取付ベース２０とも一体として成形されている。
【００４５】
さて、図１に戻って、容器本体２の前胴壁１２ａのうちの一部に、他の部分よりも凹んだ凹部１２ｍが形成されている。凹部１２ｍは、ロック位置Ｐ１と解除位置Ｐ２との間で押込部３４を操作する際に、押込部３４に指のアクセスする経路を確保するためのものである。
【００４６】
図１に示すように、凹部１２ｍは、前胴壁１２ａのうちの押込部３４と前後方向ｄ１に対面する位置ｆｐを含む領域に形成されている。本実施の形態において、凹部１２ｍは、押込部３４よりも広い横方向ｄ２の幅をもって、上下方向ｄ３に延びている。
【００４７】
次に、以上のような構成からなるヒンジ式容器１の使用方法について図４及び図５を参照して説明する。図４及び図５は、それぞれ、押込部３４をロック位置Ｐ１及び解除位置Ｐ２に配置した状態を示す断面図である。
【００４８】
先ず、図２に示す旋回カバー３０を開いた状態から、旋回カバー３０を取付ベース２０に対して旋回させて、旋回カバー３０で開口１０ａを閉じる。旋回カバー３０で開口１０ａを閉じた後、図４に示すように、押込部３４を前後方向ｄ１における後方に押し込んで解除位置Ｐ２からロック位置Ｐ１に到達させる。押込部３４がロック位置Ｐ１に配置されると、押込部３４が内空間Ｓ２内に位置するとともに押込部３４と天壁３１との間でフランジ部１３が挟み込まれる。この状態で、旋回カバー３０を開口１０ａを開く方向に旋回させた場合、押込部３４がフランジ部１３に当接して、旋回カバー３０の旋回動作が規制される。すなわち、押込部３４がロック位置Ｐ１に配置された場合、旋回カバー３０を容器本体２に係止することが可能となる。
【００４９】
旋回カバー３０を開く際には、図５に示すように、旋回カバー３０の押込部３４を、前後方向ｄ１における前方に引き出して解除位置Ｐ２に到達させる。上述のように、容器本体２の押込部３４と対面する位置ｆｐに凹部１２ｍが設けられているため、押込部３４に容易に指をアクセスすることができる（図１参照）。
【００５０】
押込部３４が解除位置Ｐ２に配置されると、押込部３４が内空間Ｓ２外に移り、フランジ部１３から離間する。これにより、旋回カバー３０のフランジ部１３への係止が解除され、旋回カバー３０を取付ベース２０に対して旋回させることが可能となる。
【００５１】
以上のように、本実施の形態によれば、開口１０ａを取り囲むフランジ部１３をもつ容器本体２と、開口１０ａを開閉する旋回カバー３０を有し容器本体２に取り付けられた蓋体３と、を備え、旋回カバー３０は、開口１０ａを覆うための天壁３１と、天壁３１の周縁から垂下した周壁３２と、を有し、周壁３２は、天壁３１から垂下した周壁本体部３３と、周壁本体部３３に対してロック位置Ｐ１と解除位置Ｐ２との間を移動可能な押込部３４と、を有し、押込部３４は、ロック位置Ｐ１において、周壁本体部３３によって囲まれ且つ天壁３１に対面する内空間Ｓ２内に位置する。このような形態によれば、ロック位置Ｐ１に配置された押込部３４を、内空間Ｓ２内から引き出して解除位置Ｐ２に移動させることで、旋回カバー３０の容器本体２に対する係止を解除することができる。押込部３４を引き出す操作は、小児にとって容易に想到することができることではない。このため、小児にとっては、旋回カバー３０を開けて内容物を取り出すことを容易に行うことができない。その一方で、押込部３４を引き出す操作は、成人にとっては容易に想到することが可能である。このため、成人にとっては、旋回カバー３０を開けて内容物を容易に取り出すことができる。以上のことから、本実施の形態によれば、小児が製品を誤飲することを防止するヒンジ式容器１を実用的な態様で提供することが可能となる。
【００５２】
また、本実施の形態によれば、蓋体３は、容器本体２のフランジ部１３に取り付けられ、旋回カバー３０を枢動可能に支持する取付ベース２０を有し、旋回カバー３０の周壁本体部３３は、取付ベース２０に枢動可能に接続された旋回カバー３０の基端部３０ｂと対向する旋回カバー３０の先端部３０ａ側に位置する前壁３３ａを有し、押込部３４は、前壁３３ａに接続されている。旋回カバー３０の先端部３０ａは基端部３０ｂよりも旋回動作時の動く範囲が大きいため、押込部３４が先端部３０ａ側に位置する前壁３３ａに設けられている場合、押込部３４を用いて旋回カバー３０を容器本体２に安定して係止することに寄与する。
【００５３】
また、本実施の形態によれば、容器本体２は、旋回カバー３０の前壁３３ａに、自身の一部が対向して位置する前胴壁１２ａを有し、前胴壁１２ａのうちの押込部３４と対面する位置ｆｐを含む領域に、他の部分よりも凹んだ凹部１２ｍが形成されている。この場合、押込部３４に容易に指をアクセスさせることができるようになる。
【００５４】
また、本実施の形態によれば、押込部３４が周壁本体部３３と一体に成形されていて、当該押込部３４の少なくとも一部３４ｂ、３４ｄが、周壁本体部３３よりも厚みが薄くなっている。このような形態によれば、押込部３４が周壁本体部３３よりも変形し易くなり、押込部３４のロック位置Ｐ１と解除位置Ｐ２との切り替えを安定して行うことができるようになる。
【００５５】
また、本実施の形態によれば、押込部３４は、開口１０ａの正面方向となる上下方向ｄ３に沿って延びる複数の厚肉部分３４ｃ及び複数の薄肉部分３４ｄを含み、複数の厚肉部分３４ｃと複数の薄肉部分３４ｄとが、旋回カバー３０の基端部３０ｂと先端部３０ａとを結ぶ前後方向ｄ１及び上下方向ｄ３の両方に直交する横方向ｄ２に交互に並んでいる。押込部３４が複数の厚肉部分３４ｃと複数の薄肉部分３４ｄとを含むことにより、押し込み乃至引き出しによる押込部３４の切り替え易さを容易に調整することが可能となる。
【００５６】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５７】
上述した実施の形態では、図３に示すように、押込部３４を構成する厚肉部分３４ｃが概ね台形状の形状をもち、薄肉部分３４ｄが円弧に沿った板状の形状をもつ例を示したが、厚肉部分３４ｃ及び薄肉部分３４ｄの形状は、上述した例に限定されない。図６乃至図８に、厚肉部分３４ｃ及び薄肉部分３４ｄの形状の他の例を示す。図６乃至図８に示す例においても、各厚肉部分３４ｃ及び各薄肉部分３４ｄは、上下方向ｄ３に沿って直線状に延びている。そして、複数の厚肉部分３４ｃと複数の薄肉部分３４ｄとは、横方向ｄ２に交互に並べられている。
【００５８】
このうち、図６に示す例では、上下方向ｄ３に直交する断面において、各厚肉部分３４ｃは、円弧に沿った板状の形状と、半円形の形状と、を繋げてなる形状をもち、各薄肉部分３４ｄは、円弧に沿った板状の形状をもつ。そして、各厚肉部分３４ｃは、横方向ｄ２に隣り合う薄肉部分３４ｄの間から前後方向ｄ１における前方に突出している。
【００５９】
図７に示す例では、上下方向ｄ３に直交する断面において、各厚肉部分３４ｃは、楕円状の形状をもち、各薄肉部分３４ｄは、円弧に沿った板状の形状をもつ。各厚肉部分３４ｃは、横方向ｄ２に隣り合う薄肉部分３４ｄの間から前後方向ｄ１における両側に突出している。
【００６０】
一方、図８に示す例では、上下方向ｄ３に直交する断面において、各厚肉部分３４ｃは、円弧に沿った板状の形状と、半円形の形状と、を繋げてなる形状をもち、各薄肉部分３４ｄは、円弧に沿った板状の形状をもつ。各厚肉部分３４ｃは、横方向ｄ２に隣り合う薄肉部分３４ｄの間から前後方向ｄ１のいずれかに突出している。図８に示す例では、各厚肉部分３４ｃは、横方向ｄ２に隣り合う厚肉部分３４ｃとは前後方向ｄ１において異なる側に突出している。すなわち、複数の厚肉部分３４ｃは、横方向ｄ２の位置に応じて、前後方向ｄ１における前方及び後方に交互に突出している。
【００６１】
また、上述した実施の形態において、押込部３４に摘まみ片４０が接続されていてもよい。図９に、押込部３４に摘まみ片４０が接続された例を示す。摘まみ片４０は、押込部３４を押し込み乃至引き出すべく、指で操作するためのものである。図９に示す摘まみ片４０は、リング状の形状をもつ平らなプレートとして成形されている。図９に示す例では、摘まみ片４０は、一の厚肉部分３４ｃの一部に接続され、当該厚肉部分３４ｃから前後方向ｄ１における前方に延び出している。
【００６２】
図９に示す形態によれば、押込部３４から延び出した摘まみ片４０を摘まんで、押込部３４を押し込み乃至引き出すことで、押込部３４をロック位置Ｐ１と解除位置Ｐ２との間で容易に切り替えることができるようになる。
【００６３】
なお、以上のように、上述した実施の形態に対するいくつかの変形例を説明してきたが、当然に、複数の変形例を適宜組み合わせて適用することも可能である。
【符号の説明】
【００６４】
１      ヒンジ式容器
２      容器本体
３      蓋体
１０ａ  開口
１２ａ  前胴壁
１２ｍ  凹部
１３    フランジ部
２０    取付ベース
３０    旋回カバー
３０ａ  先端部
３０ｂ  基端部
３１    天壁
３２    周壁
３３    周壁本体部
３３ａ  前壁
３４    押込部
３４ｃ    厚肉部分
３４ｄ    薄肉部分
４０    摘まみ片
Ｐ１  ロック位置
Ｐ２  解除位置
ｆｐ  押込部と対面する位置
ｄ１  前後方向
ｄ２  横方向
ｄ３  上下方向
【図１】
2016141458.tif 000003
【図２】
2016141458.tif 000004
【図３】
2016141458.tif 000005
【図４】
2016141458.tif 000006
【図５】
2016141458.tif 000007
【図６】
2016141458.tif 000008
【図７】
2016141458.tif 000009
【図８】
2016141458.tif 000010
【図９】
2016141458.tif 000011